【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
ワイヤレスネットワークを通した通信のための電子デバイスであって、
複数のルールのうちの１つのルールを識別するメッセージを生成するように構成されたプロセッサ、ここで、前記複数のルールの各々は、識別されたチャネルアクセスパラメータに基づいて通信パラメータの値を適応させるためのプロセスを定義し、前記通信パラメータは、最小コンテンションウィンドウ、最大コンテンションウィンドウ、フレーム間スペース、およびクリアチャネルアセスメント閾値レベルを含むグループから選択されるチャネルアクセスパラメータであり、前記複数のルールの各々は、前記電子デバイスとの通信に関する特定のサービス品質および特定の優先度を定める、と、
時間インターバルの終了後に、前記メッセージを局に送信するように構成されたトランシーバと
を備える電子デバイス。
【請求項２】
前記通信パラメータは、送信機会であり、
前記１つのルールは、前記送信機会の値を、前記電子デバイスと通信状態にある少なくとも２つの局に対して同じ値となるように適応させるためのプロセスを定義する、
請求項１に記載の電子デバイス。
【請求項３】
前記通信パラメータは、送信機会であり、
前記識別されたチャネルアクセスパラメータは、前記局から前記電子デバイスへのデータの送信のレートであり、
前記１つのルールは、前記局から前記電子デバイスへの前記データの送信のレートに基づいて、前記送信機会の値を適応させるためのプロセスを定義する、
請求項１に記載の電子デバイス。
【請求項４】
前記トランシーバは、ビーコンフレームで前記メッセージを前記局に送信するように構成される、請求項１に記載の電子デバイス。
【請求項５】
前記トランシーバは、アソシエーション応答フレームで前記メッセージを前記局に送信するように構成される、請求項１に記載の電子デバイス。
【請求項６】
前記通信パラメータは、伝送電力および再送リミットを含むグループから選択される送信パラメータである、請求項１に記載の電子デバイス。
【請求項７】
ワイヤレスネットワークを通した通信のための局であって、
複数のルールのうち１つのルールを識別するメッセージを電子デバイスから受信するように構成されたトランシーバ、ここで、前記複数のルールの各々は、識別されたチャネルアクセスパラメータに基づいて通信パラメータの値を適応させるためのプロセスを定義し、前記通信パラメータは、最小コンテンションウィンドウ、最大コンテンションウィンドウ、フレーム間スペース、およびクリアチャネルアセスメント閾値レベルを含むグループから選択されるチャネルアクセスパラメータであり、前記複数のルールの各々は、前記電子デバイスとの通信に関する特定のサービス品質および特定の優先度を定める、と、
識別されたチャネルアクセスパラメータに基づいて通信パラメータの値を適応させるように前記１つのルールによって構成されたプロセッサと、
を備え、
前記トランシーバは、時間インターバルの終了後に、前記適応された前記通信パラメータの値を使用してデータのパケットを前記電子デバイスに送信するように構成される、局。
【請求項８】
前記通信パラメータは、送信機会であり、
前記識別されたチャネルアクセスパラメータは、前記トランシーバによるデータのパケットの送信のレートであり、
前記１つのルールは、前記局から前記電子デバイスへの前記データの送信のレートに基づいて、前記送信機会の値を適応させるためのプロセスを定義する、
請求項７に記載の局。
【請求項９】
前記通信パラメータは、伝送電力および再送リミットを含むグループから選択される送信パラメータである、請求項７に記載の局。
【請求項１０】
ワイヤレスネットワークを通した通信のための方法であって、
複数のルールのうちの１つのルールを識別するメッセージを生成すること、ここで、前記複数のルールの各々は、識別されたチャネルアクセスパラメータに基づいて通信パラメータの値を適応させるためのプロセスを定義し、前記通信パラメータは、最小コンテンションウィンドウ、最大コンテンションウィンドウ、フレーム間スペース、およびクリアチャネルアセスメント閾値レベルを含むグループから選択されるチャネルアクセスパラメータであり、前記複数のルールの各々は、局からの通信に関する特定の優先度および特定のサービス品質を定める、と、
時間インターバルの終了後に、前記メッセージを前記局に送信することと
を備える方法。
【請求項１１】
前記通信パラメータは、送信機会であり、
前記１つのルールは、少なくとも２つの局に対して同じ値となるように前記送信機会の値を適応させるためのプロセスを定義する、
請求項１０に記載の方法。
【請求項１２】
前記通信パラメータは、送信機会であり、
前記識別されたチャネルアクセスパラメータは、前記局からのデータの送信のレートであり、
前記１つのルールは、前記局からの前記データの送信のレートに基づいて、前記送信機会の値を適応させるためのプロセスを定義する、
請求項１０に記載の方法。
【請求項１３】
ワイヤレスネットワークを通した通信のための方法であって、
複数のルールのうちの１つのルールを識別するメッセージを電子デバイスから受信すること、ここで、前記複数のルールの各々は、識別されたチャネルアクセスパラメータに基づいて通信パラメータの値を適応させるためのプロセスを定義し、前記通信パラメータは、最小コンテンションウィンドウ、最大コンテンションウィンドウ、フレーム間スペース、およびクリアチャネルアセスメント閾値レベルを含むグループから選択されるチャネルアクセスパラメータであり、前記複数のルールの各々は、前記電子デバイスとの通信に関する特定の優先度および特定のサービス品質を定める、と、
前記１つのルールにしたがって、識別されたチャネルアクセスパラメータに基づいて通信パラメータの値を適応させることと、
時間インターバルの終了後に、前記適応された前記通信パラメータの値を使用してデータのパケットを前記電子デバイスに送信することと
を備える方法。
【請求項１４】
前記通信パラメータは、送信機会であり、
前記識別されたチャネルアクセスパラメータは、データの前記パケットの前記送信のレートである、請求項１３に記載の方法。
【請求項１５】
請求項１０から１２または請求項１３から１４のうちのいずれかにしたがって方法を行うための命令を備える、コンピュータプログラム。
【手続補正２】
【補正対象書類名】明細書
【補正対象項目名】００８３
【補正方法】変更
【補正の内容】
【００８３】
[0092]  前述の内容は、本開示の態様を対象とするが、本開示の他のおよびさらなる態様が、これらの基本的な範囲から逸脱することなく考案され得、その範囲は、以下に示す特許請求の範囲によって決定される。
以下に本願の出願当初の特許請求の範囲に記載された発明を付記する。
［Ｃ１］
ワイヤレスネットワークを通した通信のための電子デバイスであって、
複数のルールのうちの１つのルールを識別するメッセージを生成するように構成されたプロセッサ、ここで、前記複数のルールの各々は、識別されたチャネルアクセスパラメータに基づいて通信パラメータの値を適応させるためのプロセスを定義し、前記複数のルールの各々は、前記電子デバイスとの通信に関する特定のサービス品質および特定の優先度を定める、と、
前記メッセージを局に送信するように構成されたトランシーバと
を備える電子デバイス。
［Ｃ２］
前記１つのルールは、前記局から送信されるデータの各パケットに適用される、Ｃ１に記載の電子デバイス。
［Ｃ３］
前記１つのルールは、単一の送信機会内に前記局から送信されるデータのすべてのパケットに適用される、Ｃ１に記載の電子デバイス。
［Ｃ４］
前記通信パラメータは、送信機会であり、
前記１つのルールは、前記送信機会の値を、前記電子デバイスと通信状態にある少なくとも２つの局に対して同じ値となるように適応させるためのプロセスを定義する、
Ｃ１に記載の電子デバイス。
［Ｃ５］
前記通信パラメータは、送信機会であり、
前記識別されたチャネルアクセスパラメータは、前記局から前記電子デバイスへのデータの送信のレートであり、
前記１つのルールは、前記局から前記電子デバイスへの前記データの送信のレートに基づいて、前記送信機会の値を適応させるためのプロセスを定義する、
Ｃ１に記載の電子デバイス。
［Ｃ６］
前記識別されたチャネルアクセスパラメータは、送信機会リミットであり、
前記１つのルールは、前記送信機会リミットの凸関数として、通信パラメータの値を適応させるためのプロセスを定義する、
Ｃ１に記載の電子デバイス。
［Ｃ７］
前記トランシーバは、ビーコンフレームで前記メッセージを前記局に送信するように構成される、Ｃ１に記載の電子デバイス。
［Ｃ８］
前記トランシーバは、アソシエーション応答フレームで前記メッセージを前記局に送信するように構成される、Ｃ１に記載の電子デバイス。
［Ｃ９］
前記トランシーバは、時間インターバルの終了後に、前記メッセージを前記局に送信するように構成される、Ｃ１に記載の電子デバイス。
［Ｃ１０］
前記通信パラメータは、最小コンテンションウィンドウ、最大コンテンションウィンドウ、フレーム間スペース、およびクリアチャネルアセスメント閾値レベルを含むグループから選択されるチャネルアクセスパラメータである、Ｃ１に記載の電子デバイス。
［Ｃ１１］
前記通信パラメータは、伝送電力および再送リミットを含むグループから選択される送信パラメータである、Ｃ１に記載の電子デバイス。
［Ｃ１２］
ワイヤレスネットワークを通した通信のための局であって、
複数のルールのうち１つのルールを識別するメッセージを電子デバイスから受信するように構成されたトランシーバ、ここで、前記複数のルールの各々は、識別されたチャネルアクセスパラメータに基づいて通信パラメータの値を適応させるためのプロセスを定義し、前記複数のルールの各々は、前記電子デバイスとの通信に関する特定のサービス品質および特定の優先度を定める、と、
識別されたチャネルアクセスパラメータに基づいて通信パラメータの値を適応させるように前記１つのルールによって構成されたプロセッサと、
を備え、
前記トランシーバは、前記適応された前記通信パラメータの値を使用してデータのパケットを前記電子デバイスに送信するように構成される、局。
［Ｃ１３］
前記１つのルールは、前記局から送信されるデータの各パケットに適用される、Ｃ１２に記載の局。
［Ｃ１４］
前記１つのルールは、単一の送信機会内に前記局から送信されるデータのすべてのパケットに適用される、Ｃ１２に記載の局。
［Ｃ１５］
前記通信パラメータは、送信機会であり、
前記識別されたチャネルアクセスパラメータは、前記トランシーバによるデータのパケットの送信のレートであり、
前記１つのルールは、前記局から前記電子デバイスへの前記データの送信のレートに基づいて、前記送信機会の値を適応させるためのプロセスを定義する、
Ｃ１２に記載の局。
［Ｃ１６］
前記識別されたチャネルアクセスパラメータは、送信機会リミットであり、
前記１つのルールは、前記送信機会リミットの凸関数として、通信パラメータの値を適応させるためのプロセスを定義する、
Ｃ１２に記載の局。
［Ｃ１７］
前記メッセージは、ビーコンフレームを備える、Ｃ１２に記載の局。
［Ｃ１８］
前記メッセージは、アソシエーション応答フレームを備える、Ｃ１２に記載の局。
［Ｃ１９］
前記トランシーバは、時間インターバルの終了後に、データのパケットを送信するように構成される、Ｃ１２に記載の局。
［Ｃ２０］
前記通信パラメータは、最小コンテンションウィンドウ、最大コンテンションウィンドウ、フレーム間スペース、およびクリアチャネルアセスメント閾値レベルを含むグループから選択されるチャネルアクセスパラメータである、Ｃ１２に記載の局。
［Ｃ２１］
前記通信パラメータは、伝送電力および再送リミットを含むグループから選択される送信パラメータである、Ｃ１２に記載の局。
［Ｃ２２］
ワイヤレスネットワークを通した通信のための方法であって、
複数のルールのうちの１つのルールを識別するメッセージを生成すること、ここで、前記複数のルールの各々は、識別されたチャネルアクセスパラメータに基づいて通信パラメータの値を適応させるためのプロセスを定義し、前記複数のルールの各々は、局からの通信に関する特定の優先度および特定のサービス品質を定める、と、
前記メッセージを前記局に送信することと
を備える方法。
［Ｃ２３］
前記１つのルールは、前記局から送信されるデータの各パケットに適用される、Ｃ２２に記載の方法。
［Ｃ２４］
前記１つのルールは、単一の送信機会内に前記局から送信されるデータのすべてのパケットに適用される、Ｃ２２に記載の方法。
［Ｃ２５］
前記通信パラメータは、送信機会であり、
前記１つのルールは、少なくとも２つの局に対して同じ値となるように前記送信機会の値を適応させるためのプロセスを定義する、
Ｃ２２に記載の方法。
［Ｃ２６］
前記通信パラメータは、送信機会であり、
前記識別されたチャネルアクセスパラメータは、前記局からのデータの送信のレートであり、
前記１つのルールは、前記局からの前記データの送信のレートに基づいて、前記送信機会の値を適応させるためのプロセスを定義する、
Ｃ２２に記載の方法。
［Ｃ２７］
ワイヤレスネットワークを通した通信のための方法であって、
複数のルールのうちの１つのルールを識別するメッセージを電子デバイスから受信すること、ここで、前記複数のルールの各々は、識別されたチャネルアクセスパラメータに基づいて通信パラメータの値を適応させるためのプロセスを定義し、前記複数のルールの各々は、前記電子デバイスとの通信に関する特定の優先度および特定のサービス品質を定める、と、
前記１つのルールにしたがって、識別されたチャネルアクセスパラメータに基づいて通信パラメータの値を適応させることと、
前記適応された前記通信パラメータの値を使用してデータのパケットを前記電子デバイスに送信することと
を備える方法。
［Ｃ２８］
前記１つのルールは、前記電子デバイスに送信されるデータの各パケットに適用される、Ｃ２７に記載の方法。
［Ｃ２９］
前記１つのルールは、単一の送信機会内に前記電子デバイスに送信されるデータのすべてのパケットに適用される、Ｃ２７に記載の方法。
［Ｃ３０］
前記通信パラメータは、送信機会であり、
前記識別されたチャネルアクセスパラメータは、データの前記パケットの前記送信のレートである、Ｃ２７に記載の方法。